(57)【要約】【課題】  連結金物を用いることなく補助天板を固定テーブルに容易かつ安定して保持させることができるテーブル装置を提供する。【解決手段】  テーブル装置１０は、天板２４を有する少なくとも２つ以上の固定テーブル２０と、隣り合う固定テーブル２０の天板２４間に保持される補助天板３０と、を備えている。補助天板の側面に該側面の長手方向に沿って延びる突出部材３４が設けられている。固定テーブルの天板の側面２５に、該側面の長手方向における一側端２５ａから端部２９まで該側面の長手方向に沿って延び、その間に段差２８を介して下方に幅が広がる受け溝２６が設けられている。突出部材が受け溝の端部と段差との間に嵌め込まれた状態で、補助天板が固定テーブル間に保持される。【選択図】  図１
0003115826.tif 000002
【実用新案登録請求の範囲】
【請求項１】
脚部と、前記脚部に連結された天板と、を有する少なくとも２つ以上の固定テーブルと、
隣り合う固定テーブルの前記天板間に保持される補助天板と、を備え、
前記固定テーブルの前記天板に対面する前記補助天板の側面に、該側面の長手方向に沿って延びる突出部材が設けられ、
前記補助天板に対面する前記固定テーブルの前記天板の側面に、該側面の長手方向における一側端から端部まで該側面の長手方向に沿って延び、その間に段差を介して下方に幅が広がる受け溝であって、前記側面の一側端から前記段差までの狭い幅の部分と前記段差から前記端部までの広い幅の部分とからなる受け溝が、設けられ、
前記突出部材が前記受け溝の前記端部と前記段差との間に嵌め込まれた状態で、前記補助天板が前記隣り合う固定テーブル間に保持されることを特徴とするテーブル装置。
【請求項２】
前記受け溝の前記段差と前記突出部材との係合を解除すると、前記突出部材が前記受け溝内に配置された状態で、前記補助天板が前記固定テーブルの前記天板に対して摺動自在となり、これにより、前記補助天板が前記固定テーブルの前記天板間から取外可能であることを特徴とする請求項１に記載のテーブル装置。
【請求項３】
前記補助天板の前記側面の長手方向における中心と、前記突出部材の長手方向における中心とが一致するようにして、前記突出部材が該側面に設けられ、
前記天板の前記側面の長手方向における中心と、前記受け溝の前記広い幅の部分の長手方向における中心とが一致するようにして、前記受け溝が該側面に設けられていることを特徴とする請求項１または２のいずれか一項に記載のテーブル装置。
【請求項４】
前記補助天板が前記隣り合う固定テーブル間に保持された際に、前記補助天板の上面と前記固定テーブルの前記天板の上面とが略同一平面上に配置されることを特徴とする請求項１乃至３のいずれか一項に記載のテーブル装置。
【請求項５】
前記補助天板と前記固定テーブルの前記天板とが略同一厚みを有することを特徴とする請求項１乃至４のいずれか一項に記載のテーブル装置。
【請求項６】
互いに対面する前記補助天板の前記側面および前記固定テーブルの前記天板の前記側面は、長手方向に沿って略同一長さを有することを特徴とする請求項１乃至５のいずれか一項に記載のテーブル装置。
【請求項７】
前記受け溝の深さは、該受け溝が設けられた前記側面の一側端から離間するにつれて浅くなり、これに対応して、前記突出部材の突出長さはしだいに短くなっていくことを特徴とする請求項１乃至６のいずれか一項に記載のテーブル装置。
【考案の詳細な説明】
【技術分野】
【０００１】
本考案は、２つ以上の固定テーブルと、固定テーブル間に保持される補助天板と、を備えたテーブル装置に係り、とりわけ、連結金物を用いることなく補助天板を固定テーブルに容易かつ安定して保持させることができるテーブル装置に関する。
【背景技術】
【０００２】
２つ以上の固定テーブルと、固定テーブル間に保持される補助天板と、を備えたテーブル装置が、主にレストラン等において用いられている。このようなテーブル装置は、大人数の飲食者のグループに対し、分かれて座らせることなく飲食物を提供することができる、といった長所を有している。また、レストラン側からすれば、限られた数の固定テーブルを効率的に活用することができる、といった長所を有することになる。
【０００３】
今日用いられているこのようなテーブル装置においては、一方の固定テーブルの天板端部と、補助天板の一方の端部と、が蝶番等を介して揺動自在に連結されている。また、他方の固定テーブルの天板端部、および補助天板の他方の端部にはそれぞれ連結金物が設けられている。そして、補助天板を用いる場合には、一方のテーブルに対して補助天板を揺動させるとともに、連結金物を介して補助天板と他方の固定テーブルとを連結し、これにより、補助テーブルを固定テーブル間に保持するようになっている。
【考案の開示】
【考案が解決しようとする課題】
【０００４】
ところで、補助天板を使用しない場合、固定テーブル間は固定テーブルを利用する者の通路として用いられる。したがって、固定テーブルの天板端部や補助天板の端部に連結金物が設けられていると、この連結金物に衣類等を引っ掛けてしまう虞がある。
【０００５】
本考案はこのような点を考慮してなされたものであり、連結金物を用いることなく補助天板を固定テーブルに容易かつ安定して保持させることができるテーブル装置を提供することを目的とする。
【課題を解決するための手段】
【０００６】
本考案によるテーブル装置は、脚部と脚部に連結された天板とを有する少なくとも２つ以上の固定テーブルと、隣り合う固定テーブルの天板間に保持される補助天板と、を備え、固定テーブルの天板に対面する補助天板の側面に、該側面の長手方向に沿って延びる突出部材が設けられ、補助天板に対面する固定テーブルの天板の側面に、該側面の長手方向における一側端から端部まで該側面の長手方向に沿って延び、その間に段差を介して下方に幅が広がる受け溝であって、側面の一側端から段差までの狭い幅の部分と段差から端部までの広い幅の部分とからなる受け溝が、設けられ、突出部材が受け溝の端部と段差との間に嵌め込まれた状態で、補助天板が隣り合う固定テーブル間に保持されることを特徴としている。
【０００７】
このような本考案によれば、補助天板の突出部材が固定テーブルの受け溝の端部と段差との間に嵌め込まれて、補助天板が隣り合う固定テーブルの天板間に保持される。また、補助天板の突出部材が固定テーブルの受け溝内に配置されるようにして補助天板を固定テーブルに対して摺動させることによって、補助天板を固定テーブルに保持させることができる。したがって、本考案によれば、補助天板を固定テーブルに容易かつ安定して保持させることができる。
【０００８】
本考案によるテーブル装置において、受け溝の段差と突出部材との係合を解除すると、突出部材が受け溝内に配置された状態で、補助天板が固定テーブルの天板に対して摺動自在となり、これにより、補助天板を固定テーブルの天板間から取り外すことができるようにしてもよい。このような本考案によれば、固定テーブル間に安定して保持された補助天板を、固定テーブル間から容易に取り外すことができる。
【０００９】
本考案によるテーブル装置において、補助天板の側面の長手方向における中心と、突出部材の長手方向における中心とが一致するようにして、突出部材が該側面に設けられ、天板の側面の長手方向における中心と、受け溝の広い幅の部分の長手方向における中心とが一致するようにして、受け溝が該側面に設けられるようにしてもよい。このような本考案によれば、補助天板を固定テーブルにより安定して保持させることができる。
【００１０】
本考案によるテーブル装置において、補助天板が隣り合う固定テーブル間に保持された際に、補助天板の上面と固定テーブルの天板の上面とが略同一平面上に配置されるようにしてもよい。このような本考案によれば、意匠的に好ましいとともに、テーブル装置の使い勝手を向上させることができる。
【００１１】
本考案によるテーブル装置において、補助天板と固定テーブルの天板とが略同一厚みを有するようにしてもよい。このような本考案によれば、意匠的に好ましいとともに、テーブル装置の使い勝手を向上させることができる。
【００１２】
本考案によるテーブル装置において、互いに対面する補助天板の側面および固定テーブルの天板の側面が、長手方向に沿って略同一長さを有するようにしてもよい。このような本考案によれば、意匠的に好ましいとともに、テーブル装置の使い勝手を向上させることができる。
【００１３】
本考案によるテーブル装置において、受け溝の深さが、該受け溝が設けられた側面の一側端から離間するにつれて浅くなり、これに対応して、突出部材の突出長さがしだいに短くなっていくようにしてもよい。このような本考案によれば、補助天板を固定テーブル間へさらに容易に保持させることができるとともに、補助天板を固定テーブル間へ安定して保持させることができる。
【考案の効果】
【００１４】
本考案によれば、補助天板の突出部材が固定テーブルの受け溝の端部と段差との間に嵌め込まれて、補助天板が隣り合う固定テーブルの天板間に保持される。また、補助天板の突出部材を固定テーブルの受け溝内に配置して補助天板を固定テーブルに対して摺動させることにより、補助天板を固定テーブルに保持させることができる。したがって、本考案によれば、連結金物を用いることなく補助天板を固定テーブルに容易かつ安定して保持させることができる。
【考案を実施するための最良の形態】
【００１５】
以下、図面を参照して本考案の実施の形態について説明する。
【００１６】
図１乃至図６は本考案によるテーブル装置の一実施の形態を示す図である。
【００１７】
このうち図１は補助天板が固定テーブル間に保持された状態のテーブル装置を示す上面図であり、図２は補助天板が固定テーブル間に保持された状態のテーブル装置を示す正面図であり、図３は図２のＩＩＩ−ＩＩＩ線に沿った断面図であり、図４は固定テーブルを示す側面図であり、図５は固定テーブルの受け溝を示す斜視図であり、図６は補助天板を示す側面図である。
【００１８】
図１および図２に示すように、本実施の形態において、テーブル装置１０は、脚部２２と脚部２２に連結された天板２４とを有する２つ固定テーブル２０，２０と、隣り合う固定テーブル２０，２０の天板２４，２４間に保持された補助天板３０と、を備えている。このようなテーブル装置１０は、レストラン等に用いられるものであって、飲食者のグループ人数に応じ、補助天板３０を固定テーブル２０，２０間から取り外すことができるようになっている。
【００１９】
また、図１、図２、および図６に示されているように、固定テーブル２０の天板２４に対面する補助天板３０の両側面３２に、該両側面３２の長手方向に沿って延びる突出部材３４がそれぞれ形成されている。一方、図１乃至図２に示されているように、補助天板３０に対面する固定テーブル２０の天板２４の側面２５には、補助天板３０の突出部材３４を受ける受け溝２６が形成されている。
【００２０】
図４および図５に示されているように、受け溝２６は、補助天板３０に対面する側面２５の長手方向における一側端２５ａから、該側面２５の長手方向における他側端２５ｂの手前に配置された該受け溝２６の端部２９まで、該側面２５の長手方向に沿って延びている。また、受け溝２６は、側面２５の一側端２５ａからその端部２９まで延びる間に、段差２８を介して下方にその幅が広がっている。すなわち、受け溝２６は、補助天板２４と対面する側面２５の一側端２５ａから段差２８までの狭い幅の部分（狭幅部分とも呼ぶ）２７ａと、段差２８から該受け溝２６の端部２９までの広い幅の部分（広幅部分とも呼ぶ）２７ｂと、からなっている。
【００２１】
そして、図３に示すように、補助天板３０の突出部材３４の厚みＷは受け溝２６の狭幅部分２７ａの幅Ｗ２より小さくなっており、補助天板３０の突出部材３４が受け溝２６の狭幅部分２７ａ内を摺動することができるようになっている。また、図１および図３に示されているように、受け溝２６の段差２８から端部２９までの長さ、言い換えると、広幅部分２７の長さＬ２は、突出部材３４の長さよりも若干短くなっている。そして、図３に示すように、突出部材３４が受け溝２６の端部２９と段差２８との間に嵌め込まれた状態で、補助天板２４が隣り合う固定テーブル２０，２０間に保持されるようになっている。
【００２２】
なお、本実施の形態において、図１における紙面の下側、図２における紙面の手前側、図３および図４における紙面の左側、および図５における紙面の左下側を一側とし、図１における紙面の上側、図２における紙面の奥側、図３および図４における紙面の右側、および図５における紙面の右上側を一側としている。
【００２３】
図６等に示されているように、補助天板３０の側面３２の長手方向における中心と、突出部材３４の長手方向における中心とが一致するようにして、突出部材３４が該側面３２に設けられている。同様に、図４等に示されているように、天板２４の側面２５の長手方向における中心と、受け溝２６の広幅部分２７ｂの長手方向における中心とが一致するようにして、受け溝２６が該側面２５に設けられている。このように構成することによって、補助天板３０が固定テーブル２０に安定して保持されるようになっている。
【００２４】
さらに、固定テーブル２０が補助天板３０をより安定して保持するようにするには、突出部材３４の長さＬと受け溝２６の広幅部分２７ｂの長さＬ１とを大きく相違させないこと、さらには受け溝２６の広幅部分２７ｂの長さＬ１が側面の長手方向に沿った長さＬ２の大部分を占めるようにすることが好ましい（図３）。また、突出部材３４が受け溝２６の段差２８と確実に係合することを条件として、突出部材３４の厚みＷと受け溝２６の広幅部分２７ｂの幅Ｗ１とを大きく相違させないことも好ましい（図３）。このように受け溝２６および突出部材３４を構成すると、補助天板３０が固定テーブル２０，２０間に保持された場合に、補助天板３０が固定テーブル２０に対してがたつくことが抑制され、また、がたつき量も低減されるようになる。
【００２５】
図２に示されているように、補助天板３０が隣り合う固定テーブル２０，２０間に保持された際に、補助天板２４の上面２４ａと固定テーブル２０の天板２４の上面２４ａとが略同一平面上に配置される、例えば、１ｍｍ程度の段差しか生じないようにすることが好ましい。この場合、意匠的に好ましいとともに、飲食等する際におけるテーブル装置１０の使い勝手も非常に改善される。
【００２６】
また、図２に示されているように、補助天板３０と固定テーブル２０の天板２４とが略同一厚みを有する、例えば、その差が５ｍｍ程度以内となっていることが好ましい。この場合、意匠的に好ましいとともに、補助天板３０を固定テーブル２０，２０間に保持してテーブル装置１０を使用する際に、補助天板３０と固定テーブル２０の天板２４との間における段差へ衣類等を引っ掛けてしまうことを格段に抑制することができる。
【００２７】
さらに、図１に示されているように、互いに対面する補助天板３０の側面３２および固定テーブル２０の天板２４の側面２５が、長手方向に沿って（一側から他側まで）略同一長さを有する、例えば、その差が１０ｍｍ程度以内となっていることが好ましい。この場合、意匠的に好ましいとともに、飲食等する際におけるテーブル装置１０の使い勝手が非常に改善され、さらには、補助天板３０を固定テーブル２０，２０間に保持してテーブル装置１０を使用する際に、補助天板３０と固定テーブル２０の天板２４との間における段差へ衣類等を引っ掛けてしまうことを格段に抑制することもできる。
【００２８】
次にこのような構成からなる本実施の形態のテーブル装置１０において、補助天板３０を固定テーブル２０の天板２４間に保持させる方法を説明する。
【００２９】
まず、突出部材３４の他側端が受け溝２６の一側端内に配置されるよう、補助天板３０を固定テーブル２０間に位置決めし、次に、補助天板３０を固定テーブル２０の天板２４に対して押し込む。このとき、補助天板３０の突出部材３４が受け溝２６、とりわけ受け溝２６の狭幅部分２７ａと係合し、これにより、補助天板３０は受け溝２６に沿って案内され、補助天板３０は天板２４に対してスムースに摺動する。その後、補助天板３０の突出部材３４の他側端が受け溝２６の端部２９に到達する直前または到達すると同時に、突出部材３４の一側端が受け溝２６の段差２８から重力によってずれ落ちる。そして、突出部材３４が受け溝２６の端部２９と段差２８との間に嵌め込まれ、この状態で、補助天板２４が隣り合う固定テーブル２０，２０間に保持されるようになる。
【００３０】
このとき、補助天板３０の突出部材３４の一側端が受け溝２６の段差２８に当接し、補助天板３０の固定テーブル２０に対する一側（図３における紙面の左側）への移動が規制される。同様に、補助天板３０の突出部材３４の他側端が受け溝２６の端部２９に当接し、補助天板３０の固定テーブル２０に対する他側（図３における紙面の右側）への移動が規制される。これにより、補助テーブル２０は固定テーブル２０、２０間に安定して保持される。したがって、上述したように、突出部材３４の長さＬと受け溝２６の広幅部分２７ｂの長さＬ１とが大きく相違しない場合、例えば、長さＬと長さＬ１との差が３ｍｍ程度以下である場合には、補助テーブル２０を非常に安定して固定テーブル２０、２０間に保持させることができる。
【００３１】
また、上述したように、受け溝２６の広幅部分２７ｂの長さＬ１が側面の長手方向に沿った長さＬ２の大部分を占めるようにした場合、例えば、長さＬ１が長さＬ２の８割程度を占めるようした場合には、テーブル装置１０の使用中に補助天板３０の一側または他側が浮き上がってしまうことを格段に抑制することができる。
【００３２】
次に、このようにして固定テーブル２０，２０間に安定して保持された補助テーブル３０を、固定テーブル２０，２０間から取り外す方法を説明する。
【００３３】
まず、補助天板３０を持ち上げて、突出部材３４が受け溝２６の端部２９と段差２８との間に嵌め込まれた状態から、少なくとも受け溝２６の段差２８と突出部材３４との係合を解除する。次に、この状態から、突出部材３４が受け溝２６内を滑るようにして、補助天板３０を固定テーブル２０の天板２４に対して摺動させる。これにより、補助天板３０を固定テーブル２０の天板２４間から取り外すことができる。
【００３４】
以上のように本実施の形態によれば、補助天板３０の突出部材３４を固定テーブル２０の受け溝２６の端部２９と段差２８との間に嵌め込み、補助天板３０を隣り合う固定テーブル２０，２０の天板２４，２４間に安定して保持させることができる。また、補助天板３０の突出部材３４を固定テーブル２０の受け溝２６内に配置して、補助天板３０を固定テーブル２０に対して摺動させることによって、補助天板３０を固定テーブル２０に保持させることができる。したがって、本実施の形態によれば、連結金物等を用いることなく補助天板３０を固定テーブル２０に容易かつ安定して保持させることができる。
【００３５】
なお、上述した実施の形態に関し、本考案の要旨の範囲内で種々の変更が可能である。
【００３６】
例えば、上述した実施の形態において、２つの固定テーブル２０，２０が設けられ、これら２つの固定テーブル２０，２０間に補助天板３０が保持される例を示したが、これに限られない。３つ以上の固定テーブル２０が設けられ、各固定テーブル２０，２０間に補助テーブル３０を保持させることができるようにしてもよい。
【００３７】
また、図１乃至図６に示す実施の形態において、受け溝２６の深さおよび突出部材３４の突出量が一定である例を示したが、これに限られない。例えば、図７に示すように、受け溝２６の深さが、該受け溝２６が設けられた側面２５の一側端２５ａから他側端２５ｂに向けてしだいに浅くなっていくようにし、またこれに対応して、突出部材３４の突出長さが一側から他側へ向けてしだいに短くなっていくようにしてもよい。このような変形例においては、突出部材３４の突出長さが他側端において短くなっていることから、補助天板３０を固定テーブル２０，２０間に保持させる際、突出部材３４の他側端を受け溝２６の狭幅部分２７ａ内に容易に位置合わせすることができる。その一方で、受け溝２６の深さが突出部材３４の突出長さに対応し一側から他側へ向けてしだいに浅くなっているため、突出部材３４と受け溝２６とは堅固に嵌合することができる。すなわち、補助天板３０の固定テーブル２０，２０間への取り付け作業をさらに容易にすることができるとともに、補助天板３０を固定テーブル２０，２０間へ安定して保持させることができる。
【００３８】
なお、図７に示す変形例は上述した受け溝２６の深さおよび突出部材３４の突出量が異なるのみであり、他は図１乃至図６に示す実施の形態と略同一である。図７において、図１乃至図６に示す実施の形態と同一部分には同一符号を付すとともに、重複する詳細な説明は省略する。
【図面の簡単な説明】
【００３９】
【図１】本考案によるテーブル装置の一実施の形態であって、補助天板が固定テーブル間に保持された状態のテーブル装置を示す上面図。
【図２】補助天板が固定テーブル間に保持された状態のテーブル装置を示す正面図。
【図３】図２のＩＩＩ−ＩＩＩ線に沿った断面図。
【図４】固定テーブルを示す側面図。
【図５】固定テーブルの受け溝を示す斜視図。
【図６】補助天板を示す側面図。
【図７】テーブル装置の変形例であって、補助天板が固定テーブル間に保持される前のテーブル装置を示す上面図。
【符号の説明】
【００４０】
１０  テーブル装置
２０  固定テーブル
２２  脚部
２４  天板
２４ａ  上面
２５  側面
２５ａ  一側端
２５ｂ  他側端
２６  受け溝
２７ａ  狭い幅の部分（狭幅部分）
２７ｂ  広い幅の部分（広幅部分）
２８  段差
２９  端部
３０  補助天板
３０ａ  上面
３２  側面
３４  突出部材
【図１】
0003115826.tif 000003
【図２】
0003115826.tif 000004
【図３】
0003115826.tif 000005
【図４】
0003115826.tif 000006
【図５】
0003115826.tif 000007
【図６】
0003115826.tif 000008
【図７】
0003115826.tif 000009